(57)【要約】【課題】  天井や壁への石膏ボードの取り付けまたは重ね張りにおいて、石膏ボードを下張石膏ボード等に確実に固定することができ、しかも取り扱いが容易であって、作業負担や施工時間を軽減でき、施工コストを抑えることができる留め金具を提供することを目的とする。【解決手段】  本発明に係る留め金具は、金属製の偏平な留め金具であって、頭部３から二股状に分かれる一対の脚４，４を設け、両脚４，４の付け根には股部９を形成し、前記脚４，４の先端側は末広がりの形状とし、石膏ボードへの打ち込みに伴って前記脚４，４が開脚していくことを特徴とする。【選択図】      図１
2011043169.tif 000002
【特許請求の範囲】
【請求項１】
金属製の偏平な留め金具であって、頭部（３）から二股状に分かれる一対の脚（４，４）を設け、両脚（４，４）の付け根には股部（９）を形成し、前記脚（４，４）の先端側は末広がりの形状とし、石膏ボードへの打ち込みに伴って前記脚（４，４）が開脚していくことを特徴とする留め金具。
【請求項２】
石膏ボードの重ね張りに用いる金属製の偏平な留め金具であって、頭部（３）から二股状に分かれる一対の脚（４，４）を設け、両脚（４，４）の付け根には股部（９）を形成し、前記脚（４，４）の先端側は末広がりの形状とし、石膏ボードへの打ち込みに伴い前記脚（４，４）が開脚していき、かつ上張石膏ボード（１１）と下張石膏ボード（１２）とを一体化するのに十分な脚（４，４）の長さを保有していることを特徴とする留め金具。
【請求項３】
前記脚（４，４）は、先端が尖状であることを特徴とする請求項１または２記載の留め金具。
【請求項４】
前記股部（９）には、脚（４，４）側へそれぞれ湾入する凹欠部（８，８）を設けていることを特徴とする請求項１、２または３記載の留め金具。
【請求項５】
前記頭部（３）の両端には外側に突出する膨出部（７，７）を備えていることを特徴とする請求項１、２、３または４記載の留め金具。
【請求項６】
前記両脚（４，４）の外側には、鋸歯状の刃（１０，１０）を備えていることを特徴とする請求項１、２、３、４または５記載の留め金具。
【請求項７】
前記頭部（３）は、両端に向って下向きに傾斜（６）していることを特徴とする請求項１、２、３、４、５または６記載の留め金具。
【発明の詳細な説明】
【技術分野】
【０００１】
本発明は、建築物の天井や壁等への石膏ボードの取り付けまたは重ね張りにおいて、石膏ボードを固定する留め金具に関するものである。
【背景技術】
【０００２】
近年、建築物の安全性に関する人々の関心の高まりや建築基準法の改正もあり、建築物に対して耐火性能の向上が求められるようになってきている。また、快適な室内環境を得るために、室内の遮音性能も求められるようになってきている。
【０００３】
しかしながら、従来の建築物のうち、例えば一般住宅においては、室内の天井面や壁面はボードの一枚張りで形成されているものが多く、またボード材自体の耐火性能や遮音性能にも問題がある等、耐火性能または遮音性能が十分でないものが多い。
【０００４】
そこで、このような問題を解決するための方法の一つとして、室内の天井面や壁面に使用するボード材の材質や厚さ等を改善することが挙げられる。具体的には、ボード材としては、耐火性能等を有する石膏ボードを用い、新規建築にあっては二枚の石膏ボードを重ね張りして天井面や壁面を形成し、また既存の住宅等におけるリフォームにあっては天井面や壁面を形成する既存のボードに対して新たに石膏ボードを重ねて取り付けること等が行われている。なお、新規建築において、天井面や壁面を厚みのある石膏ボードの一枚張りで形成しないで二枚の石膏ボードを重ね張りして形成している理由としては、施工の利便性や、既存の規格品の利用等を考慮しているためである。
【０００５】
上記問題の解決方法のうち、天井または壁における石膏ボードの重ね張りは、まず下張石膏ボードを下地材に取り付け、次いで上張石膏ボードを下張石膏ボードに重ね張りする。
ここで、下張石膏ボードの下地材への取り付けは、下地材が間柱、野縁または合板等の木製である場合には釘や木ねじ等を用い、また下地材がスタッドやランナー等の鋼製の下地材である場合にはドリリングタッピンねじ等を用いて固定する。
そして、上張石膏ボードと下張石膏ボードの固定には、主としてエマルション系の接着剤等を使用している。しかし、接着剤は、乾燥や硬化に時間を要し、特に、低温、多湿の条件下ではかなりの時間を要してしまう。このため、接着剤の強度が発現するまでは何らかの手段により上張石膏ボードを下張石膏ボードに固定しておく必要があり、従来は、ステープル（ＪＩＳ  Ａ  ５５５６、図２２および図２３参照）等の留め金具を打ち込むことによりその固定を補強していた。そして、接着剤の強度が発現した後においても接着剤の保持力を補強するため、ステープル等は引き抜かず、そのまま残していた。
【０００６】
しかしながら、石膏ボードの重ね張りのうち、特に天井面における重ね張りについては、上張石膏ボードの自重が留め金具に直接作用するため、保持力の弱いステープル等による留め付けでは、接着剤の強度が発現するまでの安全性に乏しいものがあった。
また、天井面に限らず、ステープルを打ち込む際には、ステープルの脚の周りの石膏ボードが削られるため、ステープルの留め付けが緩むという問題もあった。
なお、釘や木ねじを用いて石膏ボードを木製の下地材に固定した場合についても、木の経年変化により釘や木ねじが緩んでしまう恐れがあった。
【０００７】
さらに、石膏ボードについては、従来、比重０．６５の石膏ボード（記号：ＧＢ−Ｒ、ＪＩＳ  Ａ  ６９０１）が一般的に用いられてきたが、２００５年に石膏ボード製品（ＪＩＳ  Ａ  ６９０１）のＪＩＳ改正が行われ、比重１．２の普通硬質石膏ボード（記号：ＧＢ−Ｒ−Ｈ、ＪＩＳ  Ａ  ６９０１）等が加えられて、普通硬質石膏ボードも使用されるようになってきた。このため、比重の重い普通硬質石膏ボードに対しても確実に重ね張りができる優れた保持力を有する留め金具が求められてきている。
【０００８】
なお、特許文献１には、引抜耐力（保持力）の向上を図った建築用ステープルの発明について記載がなされている。これによると従来のステープルに比べ１０〜２０％程度、引抜耐力（保持力）が向上している。しかしながら、天井面での石膏ボードの重ね張りにおいて使用するには、保持力が不十分であり、安全性に欠けるものと考えられる。また、ステープルの製造コストも割高となってしまう。
【先行技術文献】
【特許文献】
【０００９】
【特許文献１】特開平８−１５９１２４号公報
【発明の概要】
【発明が解決しようとする課題】
【００１０】
そこで、本発明は上記課題を解決するためになされたものであり、天井や壁への石膏ボードの取り付けまたは重ね張りにおいて、石膏ボードを下張石膏ボード等に確実に固定することができ、しかも取り扱いが容易であって、作業負担や施工時間を軽減でき、施工コストを抑えることができる留め金具を提供することを目的とする。
【課題を解決するための手段】
【００１１】
本発明のうち請求項1記載の留め金具は、金属製の偏平な留め金具であって、頭部から二股状に分かれる一対の脚を設け、両脚の付け根には股部を形成し、前記脚の先端側は末広がりの形状とし、石膏ボードへの打ち込みに伴って前記脚が開脚していくことを特徴とする。
【００１２】
本発明に係る留め金具は、天井や壁に石膏ボードを取り付けたり又は重ね張りする場合、すなわち石膏ボードを下地材に固定する場合や、上張石膏ボードを下張石膏ボード若しくは既存のボードに固定する場合に用いる留め金具である。
ここで、「下地材」とは、石膏ボード（石膏ボードの重ね張りにあっては下張石膏ボード）が固定される天井や壁の部材であり、例えば間柱、野縁または合板等の木製の部材が挙げられる。また、単に「重ね張り」とは、下張石膏ボードまたは既存のボードに、上張石膏ボードを重ねて固定することを意味する。
本発明に係る留め金具は、金槌や打ち込み機等を使用して石膏ボード等に打ち込む。本発明に係る留め金具を石膏ボードに打ち込むと、脚の先端側が末広がりの形状であるために両脚の先端間隔が広がって両脚が開脚し、その開脚幅を徐々に広げながら脚が開脚方向に向かって貫入していく。そして、打ち込み終えると留め金具は両脚を開脚した状態で石膏ボードと下地材等を固定する。このように、本発明に係る留め金具は、両脚を開脚した状態で石膏ボードを下地材等に固定するので、抜き方向に対する抵抗が非常に強く、極めて優れた保持力を有することとなる。
以上に説明した機能により、本発明に係る留め金具は、密度（比重）の高い石膏ボードほど、留め金具にかかる打ち込み抵抗が増大しその抵抗が脚の開脚方向に作用するため、留め金具の開脚幅が広くなり、その結果、保持力が大幅に増大するという特徴を有する。
さらに、本発明に係る留め金具は、股部を形成することにより、両脚の開脚時に頭部へ集中する応力を分散させ、留め金具の応力破壊を防止している。
なお、固定時の留め金具の状態については、その両脚が下地材や下張石膏ボード等の内部に納まって開脚している状態であってもよいし、下地材や下張石膏ボード等を貫通して開脚している状態であってもよい。
また、本発明に係る留め金具は、石膏ボードの取り付け等において、状況に応じて接着剤と併用したり、接着剤を使用せず本留め金具のみを使用して固定したりすることができる。
【００１３】
また、本発明に係る留め金具は、請求項２記載のように、石膏ボードの重ね張りに用いる金属製の偏平な留め金具であって、頭部から二股状に分かれる一対の脚を設け、両脚の付け根には股部を形成し、前記脚の先端側は末広がりの形状とし、石膏ボードへの打ち込みに伴い前記脚が開脚していき、かつ上張石膏ボードと下張石膏ボードとを一体化するのに十分な脚の長さを保有していることを特徴とする。
ここで、「石膏ボードの重ね張り」とは、下張石膏ボードに上張石膏ボードを重ねて固定することをいう。
また、留め金具の脚の長さは、固定時に下張石膏ボード内に十分脚が貫入して収まる程度の長さ、または下張石膏ボードを貫通する程度の長さとする。
また、前記「一体化」とは、本留め金具が上張石膏ボードから下張石膏ボードに打ち込まれ開脚して行くに従って、下張石膏ボードに上張石膏ボードが締め付けられて緊密に接合することをいう。この一体化は、本留め金具を石膏ボードの重ね張りに使用すると、両脚がより一層スムーズに開脚することとなり、固定時の脚の開脚幅がさらに広くなって留め金具の保持力が増大することによるものである。
なお、石膏ボードの重ね張りは、状況に応じて、本留め金具を接着剤と併用したり、接着剤を使用せず本留め金具のみ使用して固定したりすることができる。
【００１４】
さらに、本発明による留め金具は、請求項３記載のように、脚の先端の形状を尖状とすることもできる。
【００１５】
このようにすると、打ち込みの際、留め金具が石膏ボード等にスムーズに貫入する。
【００１６】
また、本発明による留め金具は、請求項４記載のように、股部において脚側へそれぞれ湾入する凹欠部を設けることもできる。
【００１７】
これによると、股部の空間をより広く確保することができ、脚の開脚時に頭部へ集中する応力がさらに分散され、留め金具の応力に対する耐用性がより一層向上する。
【００１８】
さらに、本発明による留め金具は、請求項５記載のように、頭部の両端において外側へ突出する膨出部を備えることもできる。
【００１９】
これによると、留め金具を打ち込む場合には、留め金具が必要以上に石膏ボードに貫入することを防止し、また打ち込まれた留め金具を引き抜く場合には、股部だけではなく膨出部にも引き抜き具を掛けて引き抜くことができる。
【００２０】
また、本発明による留め金具は、請求項６記載のように、両脚の外側に鋸歯状の刃を備えることもできる。
【００２１】
これによると、留め金具の打ち込みにおいて、留め金具は、鋸歯状の刃により石膏ボードを削りながら貫入していくので、脚の開脚方向に逆らって作用する石膏ボードからの抵抗が軽減され、脚がスムーズに開脚する。そのため、脚の開脚幅がより一層広くなり、留め金具の保持力が向上する。
【００２２】
また、本発明による留め金具は、請求項７記載のように、頭部が両端に向って下向きに傾斜する形状とすることもできる。
【００２３】
これによると、留め金具の打ち込みに伴って頭部の傾斜がそれぞれ隆起し、打ち込み終えると頭頂面および頭部の傾斜が石膏ボードの表面に対し略面一となる。
【発明の効果】
【００２４】
請求項１記載の留め金具によると、石膏ボードを、下地材、下張石膏ボードまたは既存のボード等に両脚を開脚した状態で固定するので、壁面は勿論、石膏ボード自体の自重がかかる天井面であっても確実に石膏ボードを下地材等に固定することができる。また、経年劣化等の理由により、固定した留め金具が緩んだり抜け落ちることもなく、長期間、石膏ボードを保持し続けられる。
また、密度（比重）の高い石膏ボードほど、固定時の留め金具の開脚幅が広くなるので、留め金具の保持力が増大する。ちなみに、従来の留め金具であるステープルについては、石膏ボードの密度が高くなっても保持力が僅かに増大する程度であるのに対し、本発明による留め金具では、保持力が大幅に増大する。
さらに、本留め金具は、優れた保持力を有しているので、施工時の留め金具の使用本数を大幅に削減することができ、また作業負担や作業時間も軽減できるので、施工費用を抑えることができる。
【００２５】
請求項２記載の留め金具によると、請求項１記載の留め金具の効果に加えて、打ち込みの際、脚がより一層スムーズに開脚するので、固定時の脚の開脚幅が広くなり、留め金具の保持力が向上する。このため、下張石膏ボードに上張石膏ボードが締め付けられて緊密に接合し、上張石膏ボードが下張石膏ボードに一体化して固定される。そして、石膏ボードの剛性も高くなり、耐震性能も向上することとなる。
【００２６】
請求項３記載の留め金具によると、脚の先端の形状を尖状とすることにより、軽く打ち込むだけで留め金具が石膏ボード等にスムーズに貫入していく。
【００２７】
請求項４記載の留め金具によれば、股部の空間をより広く確保できるので、脚の開脚時に頭部へ集中する応力がさらに分散され、留め金具の応力に対する耐用性がより一層向上する。
【００２８】
請求項５記載の発明によると、留め金具を打ち込む際に、留め金具が必要以上に石膏ボードに貫入することを防止できる。また、打ち込まれた留め金具を引き抜く場合には、股部だけではなく膨出部にも引き抜き具を掛けて引き抜くことができる。
【００２９】
請求項６記載の留め金具によれば、留め金具を打ち込む際に、脚の開脚がよりスムーズとなる。そのため、留め金具の開脚幅が広くなり、保持力がより一層向上する。
【００３０】
請求項７記載の留め金具によると、打ち込まれた留め金具の頭頂面および頭部の傾斜は石膏ボードの表面に対して略面一となるので、石膏ボード表面におけるクロス張りや塗装を平滑に仕上げることができ、また、クロスが張られていない場合等であって、留め金具の頭頂面および頭部の傾斜が露出している状態でも、壁面等の体裁を損ねることがない。
【００３１】
なお、本発明に係る留め金具は、上記のような優れた効果を有しているにもかかわらず、金槌等で打ち込んだり、また、引き抜き具で引き抜いたりすることができる等、取扱いが容易であり、非常に使い勝手がよい。
【図面の簡単な説明】
【００３２】
【図１】本発明による留め金具の第一実施形態（１）および（２）を示す斜視図。
【図２】本発明による留め金具の第二実施形態（１）および（２）を示す斜視図。
【図３】本発明による留め金具の第三実施形態（１）および（２）を示す斜視図。
【図４】頭頂の別の形態を示す正面図。
【図５】頭頂のさらに別の形態を示す正面図。
【図６】第一実施形態（１）の使用状況を示す斜視図。
【図７】第一実施形態（１）の使用状況を示す斜視図。
【図８】第一実施形態（１）の使用状況を示す正面断面図。
【図９】留め金具の打ち込み機を示す側方図。
【図１０】留め金具の打ち込み機を示す正面断面図。
【図１１】留め金具の打ち込み機を示す側方断面図。
【図１２】留め金具の打ち込み機の使用状況を示す正面断面図。
【図１３】保持力（試験力）の変動を示すグラフ（ケースA）。
【図１４】保持力（試験力）の変動を示すグラフ（ケースB）。
【図１５】保持力（試験力）の変動を示すグラフ（ケースC）。
【図１６】保持力（試験力）の変動を示すグラフ（ケースD）。
【図１７】保持力（試験力）の変動を示すグラフ（ケースE）。
【図１８】保持力（試験力）の変動を示すグラフ（ケースF）。
【図１９】保持力（試験力）の変動を示すグラフ（ケースG）。
【図２０】最大保持力（試験力）の平均値を示すグラフ。
【図２１】上張石膏ボードの違いによる最大保持力の平均値の差
【図２２】従来の留め金具（ステープル）を示す斜視図。
【図２３】従来の留め金具（ステープル）の使用状況を示す正面断面図。
【発明を実施するための形態】
【００３３】
本発明による留め金具の実施形態について、図面を用いて説明する。
【００３４】
図１（１）および（２）は、本発明による留め金具１の第一実施形態（１）および（２）を示している。留め金具１は、頭部３と、頭部３から下方へ向って二股状に伸びる左右対称の脚４，４と、股部９により構成され、鋼またはステンレス鋼等の金属板を打抜いて一体的に形成する。
【００３５】
留め金具１の頭部３については、頭頂５をフラット面とし、その左右は外側に向かって下方に傾斜する斜面６，６とし、それぞれの斜面６，６の外端には膨出部７，７を形成している。また、股部９は、前記フラット面に沿って形成し、さらに股部９の左右には、両脚側に湾入する凹欠部８，８をそれぞれ設けて、股部９の空間をより広く確保するようにしている。
【００３６】
一方、脚４，４は、固定時の脚４，４が開脚した状態において、上張石膏ボード１１と下張石膏ボード１２等を一体化して固定するための十分な長さを確保する。この脚４，４の長さは、固定時に、脚４，４が開脚した状態で下張石膏ボード１２内に十分に貫入して納まる長さとしてもよいし、下張石膏ボード１２を貫通して脚４，４が開脚する長さとしてもよい。
また、脚４，４の先端側については、それぞれ内縁を外側に向かって末広がり状にしつつ、先端を尖状に形成する。なお、第一実施形態（１）では、両脚４，４の外側に鋸歯状の刃１０，１０を形成し、第一実施形態（２）では、両脚４，４の外側に直線状の刃を形成している。
【００３７】
図２（１）および（２）は、留め金具１の第二実施形態（１）および（２）を表すものであり、第一実施形態とは、頭部３に斜面６，６を設けずに頭頂５を全てフラット面とする点と、膨出部７，７を形成せずに頭頂５の端部と直角に脚４，４の外縁が下方に向って直線状に延びている点で相違している。なお、第一実施形態と同様に、第二実施形態（１）では、両脚４，４の外側に鋸歯状の刃１０，１０を形成し、第二実施形態（２）では、両脚４，４の外側に直線状の刃を形成している。また、股部９についても第一実施形態と同様に、頭頂５のフラット面に沿って形成し、さらに股部９の左右には両脚４，４側に湾入する凹欠部８，８をそれぞれ設けている。
【００３８】
図３（１）および（２）は、留め金具１の第三実施形態（１）および（２）を示すものであり、膨出部７，７は形成せず、頭頂５は全てフラット面とし、頭部３より下方に伸びる両脚４，４は、その中間付近で内側に向かってくびれて外側に反り返る形状としている。また、凹欠部８，８は備えていないものの、フラット面に沿って股部９を幅広く形成することにより股部９の空間を広く確保している。なお、第三実施形態（１）では、両脚４，４の外縁に鋸歯状の刃１０，１０を形成し、第三実施形態（２）の形態では、両脚４，４の外縁に曲線状の刃を形成している。
【００３９】
なお、頭部３の頭頂５の形態は、上記以外の形態であってもよく、例えば、図４に示すように曲線的な凹状の形態としたり、あるいは図５に示すように曲線的な凸状の形態とすることもできる。
【００４０】
以上に示したように、本発明による留め金具１は、構成が非常にシンプルであり、容易に製造することができる。また、大量生産にも適しており、安価で提供することができる。
【００４１】
次に、本発明に係る留め金具１の使用方法として、第一実施形態（１）を石膏ボードの重ね張りに使用する場合に基づいて説明する（図１（１）参照）。図６、図７および図８は、第一実施形態（１）の使用状況を示す。なお、以下の説明において、下張石膏ボード１２は下地材等に固定してあるものとする。
【００４２】
まず、接着剤を使用して上張石膏ボード１１を下張石膏ボード１２に接着する。次いで、上張石膏ボード１１表面の所定の打ち込み箇所において、留め金具１を、その先端を上張石膏ボード１１に向けて立て（図６または図８（1）参照）、留め金具１の頭頂５を金槌２１等で叩いて上張石膏ボード１１および下張石膏ボード１２に打ち込んでいく。留め金具１を打ち込んでいくと、両脚４，４の先端間隔が広がって両脚４，４が開脚し、その開脚幅を徐々に広げながら両脚４，４が開脚方向に向かって貫入していき、また、頭部３においては斜面６，６が隆起していく（図８（２）参照）。また、この打ち込みの際、留め金具１は、鋸歯状の刃１０，１０により石膏ボードを削りながら貫入していく。
なお、天井面における打ち込み作業にあっては、あらかじめ留め金具１を上張石膏ボード１１に仮打ちしておくと、金槌２１等による打ち込み作業がしやすくなる。
留め金具１を打ち込み終えると、留め金具１は、両脚４，４を開脚した状態で上張石膏ボード１１を下張石膏ボード１２に固定する（図７または図８（３）参照）。このため、留め金具１は、抜き方向に対する抵抗が非常に強く、極めて優れた保持力を有することとなる。また、頭部３において、頭頂５面及び斜面６，６は上張石膏ボード１１表面に対して略面一となる。
なお、固定時の留め金具１の両脚４，４は、下張石膏ボード１２内に納まって開脚するものであってもよいし、下張石膏ボード１２を貫通して開脚するものであってもよい。
【００４３】
上記のように、本発明に係る留め金具１は、脚４，４の先端側が末広がりの形状となっているため、打ち込みに伴って自然に脚４，４が開脚していく。そのため、別途、脚４，４を開脚させる手段を必要とせず、非常に使い勝手がよい。また、脚４，４の先端形状を尖状としているので、軽く打ち込むだけで留め金具１がスムーズに石膏ボード１１，１２へ貫入していく。しかも鋸歯状の刃１０，１０が石膏ボード１１，１２を削るので、脚４，４の開脚に対抗して働く石膏ボード１１，１２からの抵抗が軽減され、脚４，４の開脚がスムーズとなり、固定時の脚４，４の開脚幅が広くなり、留め金具１の保持力が向上する。また、股部９を頭頂５のフラット面に沿って形成し、さらに凹欠部８，８を設けて股部９に広い空間を確保することにより、脚４，４の開脚時に頭部３へ集中する応力を分散させ、留め金具１の応力に対する耐用性を確保している。
【００４４】
また、留め金具１は、脚４，４を開脚した状態で上張石膏ボード１１を下張石膏ボード１２に固定するので、従来の留め金具に比べ保持力が極めて高く、石膏ボード１１，１２が一体化して固定されることとなり、壁面はもちろん、上張石膏ボード１１の自重が直接留め金具１にかかる天井面においても、確実に重ね張りすることができる。また、これに伴って、石膏ボード１１，１２の剛性も高くなり、耐震性能も向上する。また、経時変化等の理由により留め金具１が緩んだり抜け落ちることもなく、上張石膏ボード１１を長期間、安定的に保持し続けられる。
【００４５】
さらに、密度（比重）の高い石膏ボードほど、打ち込み時に留め金具１が受ける石膏ボードからの抵抗が大きくなり、その抵抗は脚を開脚させる方向に作用するため、留め金具１の開脚幅が広くなり、その保持力が増大することとなる。
【００４６】
また、留め金具１の頭頂５面および頭部３の斜面６，６は、打ち込み終えると、上張石膏ボード１１の表面に対して略面一となるので、上張石膏ボード１１へのクロス張りや塗装を平滑に仕上げることができる。また、クロス張り等が施されておらず留め金具の頭頂５面および頭部３の斜面６，６が露出している状態であっても、壁面等の体裁を損なわない。
【００４７】
また、本発明にかかる留め金具１は、上述したように優れた保持力を有しているので、従来の留め金具を使用する場合に比べ、重ね張りに使用する留め金具１の本数を大幅に削減できる。また、作業負担や作業時間も軽減され、施工費用も抑えることができる。
【００４８】
なお、留め金具１は、金槌２１の代わりに図９ないし図１２に示す打ち込み機２２で打ち込むこともでき、従来の打ち込み機の内部構造等を若干変更するだけで本発明に係る留め金具１に適用することができる。
打ち込み機２２を使用して留め金具１の打ち込み作業を行うと、金槌２１で打ち込む場合に比べ、素早く確実に打ち込むことができるので、作業負担が軽減され、作業時間も大幅に短縮することができる。なお、ここで示した打ち込み機２２は手動のものであるが、電動のものであってもよく、電動の打ち込み機２２を使用すれば、作業負担がさらに軽減され、打ち込み作業をより一層効率的に行うことができる。
【００４９】
また、固定した留め金具１は、容易に引き抜くことができ、股部９に引き抜き具を掛けて引き抜いたり、また膨出部７，７を有する形態にあっては、膨出部７，７に引き抜き具を掛けて引き抜くことができる。
【００５０】
以上に示したように、留め金具１は金槌２１等で打ち込んだり、また、引き抜き具で引き抜いたりすることができる等、取扱いが容易であり、非常に使い勝手がよい。
【００５１】
一方、鋸歯状の刃１０，１０を備えていない第一実施形態（２）については、打ち込み時における脚４，４の開脚のスムーズさや固定時の保持力に関しては、第一実施形態（１）に比べてやや劣るものの、固定した留め金具１の引き抜きが容易であり、引き抜き後に石膏ボード等に残る脚４，４の跡が目立たないといった利点がある。
【００５２】
以上に、第一実施形態を使用する場合について説明を行った。なお、第二実施形態および第三実施形態の使用方法は、第一実施形態のものと同様である。
【００５３】
なお、本発明に係る留め金具１は、住宅のリフォームにおいて石膏ボードを既存のボードに重ね張りする場合や、石膏ボードを、木製の間柱、野縁もしくは合板等の下地材に直接取付ける場合にも、上記と同様の方法により適用することができる。
【００５４】
最後に、本発明の留め金具１の保持力に関する試験結果を、従来の留め金具１の結果と比較しながら説明を行う。
【００５５】
試験は引張試験であり、留め金具１を一本使用して上張石膏ボード１１の小片を下張石膏ボード１２に固定し、この状態に対し上張石膏ボード１１に引張荷重（静荷重）を加え、上張石膏ボード１１および留め金具１が下張石膏ボード１２から引き抜かれるまでの力を計測するものであり、同一の試験条件につき３回ずつ引張試験を行っている。なお、石膏ボード１１，１２の固定は１本の留め金具1のみで行われており、接着剤等は使用していない。
【００５６】
ここで、下張石膏ボード１２としては、従来、石膏ボードとして一般的に使用されてきた厚さ１２．５ｍｍの石膏ボードＧＢ−Ｒ（比重０．６５）を用い、上張石膏ボード１１については、厚さ９．５ｍｍの石膏ボードＧＢ−Ｒ（比重０．６５）を重ねた場合と、厚さ９．５ｍｍの普通硬質石膏ボードＧＢ−Ｒ−Ｈ（比重１．２０）を重ねた場合の二通りについて検討を行った。
【００５７】
固定に使用した本発明に係る留め金具１は、第一実施形態（１）のものであり、頭頂５から脚４，４の先端までの長さが２２ｍｍのものと２０ｍｍのものを使用した（以下、それぞれＬ２２とＬ２０とする）。また比較のため、２種類のステープル４１９ＭＡと４１９Ｊ（両方とも幅４ｍｍ×長さ１９ｍｍ、ＪＩＳ  Ａ  ５５５６）についても試験を行った。ここで、４１９ＭＡと４１９Ｊは、脚の線幅と線厚が異なり、４１９ＭＡ（１．１ｍｍ×１．３ｍｍ）の方が４１９Ｊ（０．６ｍｍ×１．１５ｍｍ）より脚が太い。なお、４１９MAは、密度の高い硬質の石膏ボードにも打ち込むことが可能であるが、４１９Jでは歯が立たず、打ち込むことが不可能である。よって、本試験では、上張石膏ボード１１が硬質のＧＢ−Ｒ−Ｈの場合については、４１９Jの検討を行っていない。
【００５８】
試験結果のうち、図１３〜１９は、変位と保持力（図中では試験力と表している）の関係を表しており、各ケースにつき３回分の計測結果を示してある。また、表１には、各ケースにおける３回分の試験において測定された最大保持力やその平均値、並びに上張石膏ボード１１の違いまたは脚４，４の長さの違いによる最大保持力の平均値の差について取りまとめている。併せて、図２０に最大保持力の平均値を示し、また、図２１に上張石膏ボード１１の違いによる最大保持力の平均値の差を示す。なお、以下の説明においては、「最大保持力の平均値」を単に「保持力」というものとする。
【００５９】
【表１】
2011043169.tif 000003
【００６０】
試験結果のうち、上張石膏ボード１１が同じ種類のケース同士を比較すると、本発明の留め金具２２Ｌおよび２０Ｌは、ステープル４１９ＭＡ、４１９Ｊに比べ、非常に保持力が優れていることがわかる。例えば、上張石膏ボード１１がＧＢ−Ｒ−Ｈの場合において、本発明の留め金具２２Ｌ（ケースＡ）および２０Ｌ（ケースＣ）の保持力は、４１９ＭＡ（ケースＥ）の保持力に対して、それぞれ約３．６倍および２．８倍となっている。一方、上張石膏ボード１１がＧＢ−Ｒの場合、本発明の留め金具２２Ｌ（ケースＢ）および２０Ｌ（ケースＤ）の保持力は、４１９ＭＡ（ケースＦ）の保持力に対して、それぞれ約７．１倍および５．４倍、また４１９J（ケースＧ）の保持力に対して、それぞれ約９．６倍および７．２倍となっている。
次に、留め金具１の脚４，４の長さに着目すると、上張石膏ボード１１がＧＢ−Ｒ−Ｈの場合、留め金具２２Ｌ（ケースＡ）は留め金具２０Ｌ（ケースＣ）より保持力が１７．０Ｎ程度大きくなっており、上張石膏ボード１１がＧＢ−Ｒの場合、留め金具２２Ｌ（ケースＢ）は留め金具２０Ｌ（ケースＤ）より保持力が１２．４Ｎ程度大きくなっている。このように、本発明の留め金具１は、脚４，４の長さが長いほうが保持力は大きくなる。
【００６１】
また、それぞれの留め金具１について、上張石膏ボード１１がＧＢ−Ｒ−Ｈの場合と上張石膏ボード１１がＧＢ−Ｒの場合とを比較すると、全ての留め金具１において、上張石膏ボード１１がＧＢ−Ｒ−Ｈの場合の方が、ＧＢ−Ｒの場合より、保持力が大きくなっている。ここで、留め金具１が４１９ＭＡでは、上張石膏ボード１１がＧＢ−Ｒ−Ｈの場合（ケースＥ）には、ＧＢ−Ｒの場合（ケースＦ）に比べ、約１４．７Ｎほど保持力が大きくなるのに対して、本発明による留め金具２２Ｌ（ケースＡとＢの比較）および２０Ｌ（ケースＣとＤの比較）では、それぞれ約２８．３および２３．７Ｎも保持力が大きくなっている。このように、本発明の留め金具１は、石膏ボードの密度（比重）が高くなると、保持力が大幅に増大する。
【００６２】
なお、ＪＩＳ製品規格によると、厚さ９．５ｍｍの石膏ボードＧＢ−Ｒの質量は、５．７〜８．６ｋｇ／ｍ2であり、その自重は５５．９〜８４．３Ｎ／ｍ2である。また、同じ厚さの普通硬質石膏ボードＧＢ−Ｒ−Ｈの質量は、９．５〜１３．８ｋｇ／ｍ2であり、その自重は９３．１〜１３５．２Ｎ／ｍ2である。したがって、天井面に石膏ボード１１を取付ける場合には、上記の石膏ボード１１の自重が留め金具１に直接作用することとなるため、その固定に用いられる留め金具１には大きな保持力が要求される。ここで、本発明に係る留め金具１は、上記試験結果が示すように非常に優れた保持力を有しており、天井面であっても確実に上張石膏ボード１１を下張石膏ボード１２等に重ね張りすることができる。
【００６３】
以上、本発明に係る留め金具１の実施形態について説明を行った。ただし、これらの実施形態は、あくまでも本発明の例示であって、本発明は、これらの実施形態に特に限定されるものではない。また、ボード材に関しても、石膏ボードに限らず、別の材質のものに対しても適用することができる。
【符号の説明】
【００６４】
１…留め金具、３…頭部、４…脚、５…頭頂、６…斜面（傾斜）、７…膨出部、８…凹欠部、９…股部、１０…鋸歯状の刃、１１…上張石膏ボード、１２…下張石膏ボード、２１…金槌、２２…打ち込み機
【図１】
2011043169.tif 000004
【図２】
2011043169.tif 000005
【図３】
2011043169.tif 000006
【図４】
2011043169.tif 000007
【図５】
2011043169.tif 000008
【図６】
2011043169.tif 000009
【図７】
2011043169.tif 000010
【図８】
2011043169.tif 000011
【図９】
2011043169.tif 000012
【図１０】
2011043169.tif 000013
【図１１】
2011043169.tif 000014
【図１２】
2011043169.tif 000015
【図１３】
2011043169.tif 000016
【図１４】
2011043169.tif 000017
【図１５】
2011043169.tif 000018
【図１６】
2011043169.tif 000019
【図１７】
2011043169.tif 000020
【図１８】
2011043169.tif 000021
【図１９】
2011043169.tif 000022
【図２２】
2011043169.tif 000023
【図２３】
2011043169.tif 000024
【図２０】
2011043169.tif 000025
【図２１】
2011043169.tif 000026